(57)【特許請求の範囲】
【請求項１】
上位装置からのデータ信号を受けてＣＭＩデータ信号に変換するＣＭＩ符号化回路および前記ＣＭＩデータ信号を受けて光出力信号を出力する光モジュールを含み、不要時に該光モジュールからの前記光出力信号を停止する光伝送装置の光出力停止方式において、
前記上位装置からの制御信号を受けて光出力を制御するＡＣＴ信号を出力する制御信号検出回路と、前記上位装置からのクロック信号を受け該クロック信号の断検出信号を出力するクロック断検出回路と、前記ＡＣＴ信号および前記断検出信号を前記ＣＭＩデータ信号と共に論理演算して前記光モジュールを制御する論理素子とを備えることを特徴とする光出力停止方式。
【請求項２】
前記制御信号を受けてマルチフレーム同期外れ時にＭＦＬＯＳＳ信号を出力するマルチフレーム検出回路を設け、前記ＭＦＬＯＳＳ信号を前記論理素子に入力することを特徴とする請求項１に記載の光出力停止方式。
【請求項３】
前記上位装置からの多重入力データ信号を前記データ信号および前記制御信号に分離する分離回路を備えることを特徴とする請求項１又は２に記載の光出力停止方式。
【請求項４】
前記論理素子として、論理積素子を使用することを特徴とする請求項１、２又は３に記載の光出力停止方式。
【請求項５】
前記論理素子として、論理和素子を使用することを特徴とする請求項１、２又は３に記載の光出力停止方式。
【発明の詳細な説明】
【０００１】
【発明の属する技術分野】
本発明は光出力停止方式、特に光伝送装置等に使用する光モジュールからの出力信号を不要時に停止することにより、光伝送装置の消費電力を低減する光出力停止方式に関する。
【０００２】
【従来の技術】
光伝送装置又は光通信装置は、電気通信に比較して種々の利点を有するので、多くの分野で急速に普及しつつある。斯かる光通信に関する従来技術は、例えば特開昭６２−２４５８２６号公報の「レーザカットオフ方式」、特開平８−１８６１１号公報の「光伝送装置」および特開平９−２９７４６号公報の「光伝送装置」等に開示されている。
【０００３】
従来の光伝送装置では、光モジュール自身に光出力を停止する機能を持たせていた。即ち、光モジュールに光出力を制御する制御端子が設けられ、外部より制御信号を入力して光出力信号を停止させていた。しかしながら、上述の機能を有する光モジュールは、特別高価であり、一般的に使用されている廉価品の光モジュールでは、斯かる光出力を制御する機能は有していない。１パッケージにて１回線を収容するシステムにおいては、装置使用時にパッケージを実装搭載するため、制御信号による光出力停止の制御は行っていなかった。また、上位装置からのクロック信号の異常時に、下位装置に対して出力データ信号を抑制する場合には、従来ではＣＭＩ符号化回路の前段回路にてＨ（高）レベル又はＬ（低）レベルにしていた。
【０００４】
図２は、従来技術の出力信号抑制方式のブロック図を示す。この出力信号抑制方式は、ＣＭＩ（Ｃｏｄｅ  Ｍａｒｋ  Ｉｎｖｅｒｓｉｏｎ）符号化回路２、その前段の出力抑制回路８、クロック断検出回路５および光モジュール６により構成される。クロック断検出回路５には、クロック信号１２が入力され、出力抑制回路８に断検出信号を出力する。一方、出力抑制回路８には、入力データ信号１１が入力され、ＣＭＩ符号化回路２に対してデータ信号２１を出力する。ＣＭＩ符号化回路２は、光モジュール６に対してＣＭＩデータ信号１５を出力し、光モジュール６は、光出力信号１９を出力する。
【０００５】
図３は、図２中のＣＭＩ符号化回路２の説明図である。図３（Ａ）は状態遷移図であり、（Ｂ）は入出力の真理値表であり、（Ｃ）はＣＭＩ符号化回路２の入力Ｄｎおよび出力ＹａｎおよびＹｂｎを示すブロック図である。尚、斯かるＣＭＩ符号化回路２は、当業者に周知であるので、ここで詳細説明は省略する。
【０００６】
【発明が解決しようとする課題】
しかし、上述の如き出力信号抑制方式又は光出力停止方式で使用している光モジュールでは、特別仕様の高価品であるため、汎用装置では容易に使用することはできない。また、上位装置からのクロック信号の異常時に下位装置に対して出力データ信号を抑制するために、ＣＭＩ符号化回路２の前段回路にてＨレベル（「１」）又はＬレベル（「０」）にしている。この手法では、ＣＭＩ符号化回路２の符号化変換則により（「１」）固定時は（「１、１」、「０、０」・・）となり、一方、（「０」）固定時は（「０、１」、「０、１」・・）となってしまう。即ち、光モジュール６からの光出力を完全に停止することができないという問題がある。
【０００７】
【発明の目的】
本発明の主な目的は、上位装置からの制御信号により遠隔操作にて光モジュールからの光出力を停止することができ、回線未使用時に容易に光出力を停止して消費電力を低減すること。また、上位装置からの受信する制御信号およびクロック信号の異常時に光出力を停止することにより、障害にて回線が使用不可時の消費電力を低減することと、障害時において保守担当者のレーザによる目の保護を保証することを提供する。
【０００８】
【課題を解決するための手段】
本発明の光出力停止方式は、上位装置からのデータ信号を受けてＣＭＩデータ信号に変更するＣＭＩ符号化回路およびＣＭＩデータ信号を受けて光出力信号を出力する光モジュールを含み、不要時にこの光モジュールからの光出力信号を停止する光伝送装置の光出力停止方式であって、上位装置からの制御信号を受けて光出力を制御するＡＣＴ信号を出力する制御信号検出回路と、上位装置からのクロック信号を受け、このクロック信号の断検出信号を出力するクロック断検出回路と、ＡＣＴ信号および断検出信号をＣＭＩデータ信号と共に論理演算して光モジュールを制御する論理素子とを備える。
【０００９】
また、本発明の光出力停止方式の好適実施形態によると、上述した制御信号を受けてマルチフレーム同期外れ時にＭＦＬＯＳＳ信号を出力するマルチフレーム検出回路を設け、このＭＦＬＯＳＳ信号を論理素子に入力する。上位装置からの多重入力データ信号をデータ信号および制御信号に分離する分離回路を備える。また、上述した論理素子として、論理積素子又は論理和素子を使用する。
【００１０】
【発明の実施の形態】
以下、上述したおよびその他の目的、特徴および利点を明確にすべく、添付図面を参照しながら、本発明による光出力停止方式の好適実施形態の構成および動作を詳細に説明する。
【００１１】
図１は、本発明による光出力停止方式の好適実施形態の構成を示すブロック図である。尚、説明の便宜上、上述した従来方式の構成要素と対応する構成要素には、同様の参照符号を使用することとする。この光出力停止方式は、分離回路１、ＣＭＩ符号化回路２、マルチフレーム検出回路３、制御信号検出回路４、クロック断検出回路５、論理積素子（ＡＮＤゲート）７および光モジュール６により構成される。
【００１２】
分離回路１およびクロック断検出回路５には、それぞれ上位装置からシリアルの入力データ信号１１およびクロック信号１２が入力される。分離回路１は、入力された入力データ信号１１を、データ信号１３と制御信号１４とに分離する。ＣＭＩ符号化回路２は、データ信号１３をＣＭＩデータ信号１５にＣＭＩ符号化変換を行う。マルチフレーム検出回路３は、制御信号１４からマルチフレームを検出する。また、マルチフレーム検出回路３は、マルチフレーム同期外れ時にＬレベルのＭＦＬＯＳＳ信号１６を出力する。制御信号検出回路４は、マルチフレーム検出回路３から入力される制御信号１４から光出力の制御信号であるＡＣＴ信号１７を検出する。クロック断検出回路５は、入力クロック信号１２の入力断検出を行う。また、クロック断検出回路５は、入力クロック断状態の時にＬレベルの断検出信号１８を出力する。
【００１３】
一方、論理積素子７は、ＣＭＩデータ信号１５に対し、ＭＦＬＯＳＳ信号１６、ＡＣＴ信号１７および断検出信号１８にて出力の抑制を掛ける。光モジュール６は、論理積素子７より出力された電気信号を光信号に変換し、光出力信号１９を出力する。
【００１４】
以下、図１に示す本発明による光出力停止方式の好適実施形態の動作を説明する。先ず、制御信号１４およびクロック信号１２が正常である場合の光出力停止方式の動作を説明する。
【００１５】
制御信号検出回路４にて検出したＡＣＴ信号１７は、運用中制御時にはＨレベルが検出される。一方、出力停止制御時にはＬレベルが出力される。このとき、ＭＦＬＯＳＳ信号１６および断検出信号１８は共にＨレベルを出力している。ＣＭＩデータ信号１５、ＭＦＬＯＳＳ信号１６、ＡＣＴ信号１７、断検出信号１８は共に論理積素子７に入力されるため、出力停止制御時にはＣＭＩデータ信号１５の論理に関係なく論理積素子７の出力はＬレベルとなる。そこで、光モジュール６からの光出力信号１９は、光出力停止状態（発光しない状態）となる。
【００１６】
また、制御信号１４の多重されているマルチフレームの同期外れ時には、マルチフレーム検出回路３がＬレベルのＭＦＬＯＳＳ信号１６を出力する。また、上位装置から入力されるクロック信号１２が入力断となった場合には、クロック断検出回路５がＬレベルの断検出信号１８を出力する。従って、マルチフレーム同期外れ時およびクロック信号１２の入力断時には、ＣＭＩデータ信号１５の論理に関係なく論理積素子７の出力はＬレベルとなる。そこで、この場合にも、光モジュール６からの光出力信号１９は、光出力停止状態（発光しない状態）となる。
【００１７】
このことにより、上位装置からの制御信号１４により、遠隔操作にて光モジュール６からの光出力信号１９を停止可能である。その結果、回線未（又は不）使用時に、簡単且つ確実に光モジュール６からの光出力信号１９を停止し、消費電力を低減することが可能である。また、上位装置から受信する制御信号１４およびクロック信号１２の異常時に光出力を停止することにより、障害にて回線が使用不可能時の不要な消費電力を低減する。更に、障害発生時において、レーザ光による保守担当者の目の保護を保証することが可能になる。
【００１８】
次に、本発明による光出力停止方式の他の実施形態を説明する。その基本的構成は、略上述した好適実施形態の通りである。しかし、周波数異常の検出する位置を変更したことを特徴とする。図１において、ＣＭＩデータ信号１５、ＭＦＬＯＳＳ信号１６、ＡＣＴ信号１７および断検出信号１８は、共に論理積素子７に入力しているが、それぞれの出力論理を変更して論理和素子に変更してもよい。また、この論理積素子７を図２のように出力抑制回路８に置換してもよい。
【００１９】
以上、本発明による光出力停止方式の好適実施形態の構成および動作を詳述した。しかし、斯かる実施形態は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【００２０】
【発明の効果】
以上の説明から明らかな如く、本発明の光出力停止方式によると、次の如き実用上の顕著な如き効果が得られる。即ち、上位装置からの受信データ信号に多重されている制御信号により、遠隔操作にて光モジュールからの光出力信号をを停止することができ、回線未又は不使用時に、簡単且つ確実に光出力信号を停止して消費電力を低減することが可能である。また、上位装置から受信する制御信号およびクロック信号の異常発生時に光出力信号を停止することにより、障害にて回線が使用不可能時の消費電力を低減すると共に、障害発生時にレーザ光から保守する保守担当者の目を確実に保護することが可能である。更に、本発明の光出力停止方式は、小規模な回路にて実現可能であるため、既存の装置に容易に追加することが可能である。
【図面の簡単な説明】
【図１】本発明による光出力停止方式の好適実施形態の構成を示すブロック図である。
【図２】従来技術の出力信号抑制方式のブロック図である。
【図３】図１および図２に示すＣＭＩ（Ｃｏｄｅ  Ｍａｒｋ  Ｉｎｖｅｒｓｉｏｎ）符号化回路の説明図であり、（Ａ）は状態遷移図、（Ｂ）は真理値表および（Ｃ）は入出力関係図である。
【符号の説明】
１    分離回路
２    ＣＭＩ符号化回路
３    マルチフレーム検出回路
４    制御信号検出回路
５    クロック断検出回路
６    光モジュール
７    論理積素子
８    出力抑制回路
１１  入力データ信号
１２  クロック信号
１３  データ信号
１４  制御信号
１５  ＣＭＩデータ信号
１６  ＭＦＬＯＳＳ信号
１７  ＡＣＴ信号
１８  断検出信号
１９  光出力信号
【図１】
0003626675.tif 000002
【図２】
0003626675.tif 000003
【図３】
0003626675.tif 000004